(57)【要約】【課題】取得した番組情報を参照または解析することにより、背景情報を選択、たとえば適切な背景やフォントを選択し、ＣＤ／ＤＶＤなどの記録メディアのラベルへの印刷、紙などの記録媒体への印刷を行なえるようにする。【解決手段】放送番組を受信する受信手段と、番組に関する番組情報を取得する番組情報取得手段を含むデジタル放送受信システムにおいて、番組情報取得手段により番組情報を取得し（Ｆ００１）、番組情報から背景情報を選択する解析方法を選択し（Ｆ００２）、その解析方法で番組情報を解析し、解析結果に基づきあらかじめ用意された複数の背景情報から特定の背景情報を選択し（Ｆ００３）、選択した背景情報に基づいてプリンタ用の印刷データを作成する（Ｆ００４）。【選択図】図４
2008131411.tif 000002
【特許請求の範囲】
【請求項１】
放送番組を受信する受信手段と、
前記番組に関する番組情報を取得する番組情報取得手段と、
前記番組情報取得手段により取得した番組情報を解析する解析手段と、
前記解析手段の解析結果に基づき、あらかじめ用意された複数の背景情報から特定の背景情報を選択する背景情報選択手段と、
選択した背景情報に基づいてプリンタ用の印刷データを作成する印刷情報作成手段と、を有することを特徴とするデジタル放送受信システム。
【請求項２】
請求項１に記載のデジタル放送受信システムにおいて、前記受信手段により受信した番組を記録可能な記録メディアのラベル面に対して印刷可能なプリンタを含み、前記印刷情報作成手段により作成された印刷データに基づき前記記録メディアのラベル面に印刷を行なうことを特徴とするデジタル放送受信システム。
【請求項３】
請求項１または２に記載のデジタル放送受信システムにおいて、前記背景情報選択手段により選択された背景情報に基づいてプレビュー用のデータを生成することを特徴とするデジタル放送受信システム。
【請求項４】
請求項１〜３のいずれか１項に記載のデジタル放送受信システムにおいて、前記番組情報取得手段により、前記番組情報が電子番組表データとして取得されることを特徴とするデジタル放送受信システム。
【請求項５】
請求項１〜４のいずれか１項に記載のデジタル放送受信システムにおいて、前記受信手段で受信した番組を記録する記録手段と、前記記録手段の記録動作を指定時刻に予約する予約手段を有し、前記予約手段で記録動作を予約された番組に関する番組情報を前記番組情報取得手段により取得し、該番組情報を前記解析手段により解析し、その解析結果に基づき、前記背景情報選択手段によりあらかじめ用意された複数の背景情報から特定の背景情報を選択し、前記記録手段で記録する番組と関連づけて記憶することを特徴とするデジタル放送受信システム。
【請求項６】
放送番組を受信する受信手段と、前記番組に関する番組情報を取得する番組情報取得手段を含むデジタル放送受信システムの制御方法において、
前記番組情報取得手段により取得した番組情報を解析する解析過程と、
前記解析過程の解析結果に基づき、あらかじめ用意された複数の背景情報から特定の背景情報を選択する背景情報選択過程と、
選択した背景情報に基づいてプリンタ用の印刷データを作成する印刷情報作成過程と、を含むことを特徴とするデジタル放送受信システムの制御方法。
【請求項７】
請求項６に記載のデジタル放送受信システムの制御方法において、前記受信手段により受信した番組を記録可能な記録メディアのラベル面に対して印刷可能なプリンタを含み、前記印刷情報作成過程で作成された印刷データに基づき前記記録メディアのラベル面に印刷を行なうことを特徴とするデジタル放送受信システムの制御方法。
【請求項８】
請求項６または７に記載のデジタル放送受信システムの制御方法において、前記背景情報選択過程で選択された背景情報に基づいてプレビュー用のデータを生成することを特徴とするデジタル放送受信システムの制御方法。
【請求項９】
請求項６〜８のいずれか１項に記載のデジタル放送受信システムの制御方法において、前記番組情報取得手段により、前記番組情報が電子番組表データとして取得されることを特徴とするデジタル放送受信システムの制御方法。
【請求項１０】
請求項６〜９のいずれか１項に記載のデジタル放送受信システムの制御方法において、前記受信手段で受信した番組を記録する記録手段と、前記記録手段の記録動作を指定時刻に予約する予約手段を用い、前記予約手段で記録動作を予約された番組に関する番組情報を前記番組情報取得手段により取得し、該番組情報を前記解析過程により解析し、その解析結果に基づき、前記背景情報選択過程によりあらかじめ用意された複数の背景情報から特定の背景情報を選択し、前記記録手段で記録する番組と関連づけて記憶することを特徴とするデジタル放送受信システムの制御方法。
【請求項１１】
請求項６〜１０のいずれか１項に記載のデジタル放送受信システムの制御方法を実施すべくデジタル放送受信システムの構成ハードウェアを制御することを特徴とするデジタル放送受信システムの制御プログラム。
【発明の詳細な説明】
【技術分野】
【０００１】
本発明は、放送番組を受信する受信手段と、前記番組に関する番組情報を取得する番組情報取得手段を含むデジタル放送受信システム、デジタル放送受信システムの制御方法、およびデジタル放送受信システムの制御プログラムに関するものである。
【背景技術】
【０００２】
現在、デジタル放送を含めたテレビジョンにおいて、ＥＰＧ（電子番組表）等の番組情報を用いた番組検索や番組予約が広く行われている。
【０００３】
また、番組録画を行なうビデオ装置や、ハードディスク（以下ＨＤＤ）内蔵のＤＶＤ（Digital Versatile Disk）/ＣＤ（コンパクトディスク）レコーダ装置（以下ＤＶＤ、ＣＤ）などにおいても、番組予約時や録画時に番組情報を用いているものが広く知られている。ＥＰＧ情報は放送電波で送られてくるものや、インターネット経由で送られるもの（ｉＥＰＧ）などがある。また、ＥＰＧ情報は、（ある程度）規格化されたものの他、機器のメーカーなどに応じた独自仕様のものも用いられている。ＥＰＧを用いる装置には、利用するＥＰＧに合致した仕様のＥＰＧ受信部が設けられる。
【０００４】
一方、プリンタなどの出力機器において、従来よりＣＤ／ＤＶＤに直接印字できるものが知られている。たとえば、ＣＤ／ＤＶＤ印刷専用のプリンタや、通常の紙媒体への印字とＣＤ／ＤＶＤへの印刷が両方可能なプリンタなどの製品が存在する他、ＣＤ／ＤＶＤ印刷に対応した記録メディアが各社から多数販売されている。
【０００５】
また、ＨＤＤレコーダ（ハードディスクレコーダ）などと呼ばれるＨＤＤ内蔵のＤＶＤ/ＣＤレコーダ装置（以下ＨＤＤレコーダ）が広く使われている。このＨＤＤレコーダは、ビデオテープの代わりに記憶装置としてハードディスク（ＨＤＤ）を搭載したテレビジョン録画装置である。ＨＤＤレコーダでは、通常の番組録画動作に際しては入出力性能の高いＨＤＤに対してビデオデータを記録していく。そして、適当な時点でＨＤＤのビデオデータを消去したり、内蔵のＤＶＤ−ＲドライブやＣＤ−Ｒドライブを用いて残しておきたい番組をＤＶＤ−ＲやＣＤ−Ｒへ書き出すことができる。たとえば、ユーザはＨＤＤに番組を録画して、その後に必要なものを整理してＣＤ／ＤＶＤへ書き出し、ＨＤＤ内の書き出した番組は削除する、という使い方が一般的である。
【０００６】
この種のＨＤＤレコーダにおいても、録画予約はＥＰＧ（電子番組表）を利用して番組表を作成し、テレビなどのモニタ機器に表示して、ユーザに番組を指定させて予約する手法が広く用いられている。
【０００７】
また、ＥＰＧ情報を用いてユーザが入力するキーワードをＥＰＧの情報を比較して、番組を検索して録画してくれるといった製品も知られている。もちろん、ＰＣ（パーソナルコンピュータ）のような機器においても、ＨＤＤにテレビ番組を録画し、それをＣＤ／ＤＶＤに書き出す、というＨＤＤレコーダと同等の動作が可能である。たとえば、ＰＣにビデオキャプチャカードやチューナカードのようなビデオインターフェースと、ＣＤ／ＤＶＤドライブが装着されていれば、インターネットＥＰＧのような番組予約／検索システムを利用して、ＨＤＤレコーダとほぼ同等の番組録画が可能となる。
【０００８】
ところで、現在、地上波／衛星デジタルテレビ放送サービスが既に開始されている。この種のデジタルテレビ放送では、双方向のデータ放送が可能であり、データ放送で受信したデータはテレビジョン装置からプリンタに送信して印刷することができる。データ放送印刷のために、テレビとプリンタが一体になっている製品や、テレビと接続可能なプリンタ装置も既に販売されている。
【０００９】
このように、プリンタがリビングのテレビの横に設置される環境が整いつつある昨今、プリンタ装置のデジタルテレビのデータ放送を印刷するだけではなく、更なる活用が求められてくることは容易に想像がつく。
【００１０】
また、従来より録画メディアのラベルを番組情報を参照して作成する構成が提案されている。たとえば、予約録画実行時に取得した番組情報に基づき、ビデオテープのラベルを自動生成する、特に番組情報内の番組タイトル等をラベルに自動印刷する構成が知られている（下記の特許文献１）。
【特許文献１】特開２００３−１３４４４７号公報
【発明の開示】
【発明が解決しようとする課題】
【００１１】
しかし、上述の従来技術において、番組情報から得た番組タイトルなどを録画メディアに印刷できるが、その背景の印刷制御についてはごく単純なことしか行なわれていない。たとえば、背景に用いる画像や柄はユーザが指定した、あるいはデフォルトのものが用いられるだけで、自動的な制御、たとえば番組ジャンルに応じて背景を変更する、といったことは行なわれていない。また、従来ではジャンルに応じて書式やフォントを変えたり、印字する内容を変更したりすることもできない。
【００１２】
また、従来では、ジャンル毎に印刷背景、フォントや印刷内容等を変更したい場合はユーザが毎回、手動で設定を行わなければならず不便であった。ＥＰＧなどから得たデータに基づき自動で番組タイトル等を入力できたとしても、背景は全て同じであり、後日ユーザがＣＤ／ＤＶＤの中身を知りたいと思った際には、いちいち文字のタイトルを読まなければ、中身が何であるかが分からず不便であった。
【００１３】
このような現状を鑑みると、録画メディアのラベル印刷に際しては、録画システムが番組情報から適切な背景、あるいはさらにタイトルといった印刷データを自動作成できれば便利である、と考えられる。これによりユーザがいちいち手動でタイトルを入力したり、背景を作成したりする手間が省ける。たとえば、特定の番組あるいは特定のジャンルの番組に対して特定の背景を用いるようにすれば、タイトル文字を読まなくても背景から一目で目的の番組を録画したメディアを捜し出せる、と考えられる。
【００１４】
上記の問題は、番組に関する情報を印刷する媒体がＣＤ／ＤＶＤなどの記録メディアではなく、たとえば通常の紙などの記録媒体に対して印刷する場合にも共通するものである。
【００１５】
また、上記の各種記録メディアや記録媒体に対する印刷に関する問題、特にその印刷時の背景の選択に関する問題は、放送番組に関する何らかのデータを印刷する全ての場合に共通するものである。
【００１６】
さらに、以上では便宜上「録画」という用語を用いたが、たとえば、上記の問題は放送番組の動画データを記録メディアに「録画」する場合だけでなく、番組情報や、キャプチャー画像を印刷する場合にも共通する。そして、データ放送で取得したデータなどを上記の各種記録メディアや記録媒体に対して印刷する場合にも共通する。
【００１７】
本発明の課題は、上記問題を解決し、取得した番組情報を参照または解析することにより、背景情報を選択、たとえば適切な背景やフォントを選択し、ＣＤ／ＤＶＤなどの記録メディアのラベルへの印刷、紙などの記録媒体への印刷を行なえるようにすることにある。また、印刷した番組情報に応じて異なる背景を選択することにより、用紙に記録されている番組情報やメディアに録画されている番組を、細かく文字情報を読み取らなくても、印刷の背景から一目でユーザが容易に推測できるようにすることにある。
【課題を解決するための手段】
【００１８】
上記課題を解決するため、本発明においては、放送番組を受信する受信手段と、前記番組に関する番組情報を取得する番組情報取得手段を含むデジタル放送受信システム、デジタル放送受信システムの制御方法、およびデジタル放送受信システムの制御プログラムにおいて、前記番組情報取得手段により取得した番組情報を解析し、その解析結果に基づき、あらかじめ用意された複数の背景情報から特定の背景情報を選択し、選択した背景情報に基づいてプリンタ用の印刷データを作成する構成を採用した。
【発明の効果】
【００１９】
上記構成によれば、取得した番組情報を参照または解析することにより、背景情報を選択、たとえば適切な背景やフォントを選択し、ＣＤ／ＤＶＤなどの記録メディアのラベルへの印刷、紙などの記録媒体への印刷を行なえる、という優れた効果がある。たとえば、上記構成によれば、印刷した番組情報に応じて異なる背景を選択することができ、用紙に記録されている番組情報やメディアに録画されている番組を、細かく文字情報を読み取らなくても、印刷の背景から一目でユーザが容易に推測できる。これにより、ユーザのメディア印刷時の負荷を大きく軽減することができる。
【発明を実施するための最良の形態】
【００２０】
以下、図面を参照して、本発明を実施するための最良の形態の一例として、テレビジョン装置、およびＣＤ／ＤＶＤへのデータの書き込みが可能なＨＤＤレコーダを含み、番組に関する情報を印刷可能な視聴システムに関する実施例を示す。
【実施例１】
【００２１】
以下、図面を用いて本発明の実施例について詳細に説明する。
【００２２】
まず、本発明の第一の実施例について説明する。図１は本発明を採用した視聴システムの構成を示している。
【００２３】
図１のシステムは、テレビジョン装置、ＣＤ／ＤＶＤへのデータの書き込みが可能なＨＤＤレコーダ、印刷データ生成装置を含む。
【００２４】
図１において、符号１００はテレビジョン装置。１０２はＣＤ／ＤＶＤへのデータの書き込みが可能なＨＤＤレコーダ。１０６は本発明の印刷データ生成装置である。これら各ブロックは、符号１１１、１１２、１１３、１１４のようにIEEE１３９４シリアルバスのディジタル・インターフェースポートで接続されている。ただし、各ブロックを接続するディジタル・インターフェースはIEEE１３９４に限られるものではなく、ＵＳＢ、無線ＬＡＮ、Bluetoothなどであってもよい。
【００２５】
ここで、テレビジョン装置１００とＨＤＤレコーダ１０２の構成につき説明する。
【００２６】
テレビジョン装置１００はテレビ番組を受信するチューナ部１０１を有する。チューナ部１０１の選局などの操作は不図示のリモコンや操作部などのユーザーインターフェース手段を介して行なわれる。
【００２７】
ＨＤＤレコーダ１０２は、ＥＰＧデータ取得部１０４を有し、ＥＰＧデータ取得部１０４で取得したＥＰＧデータに基づき、統合番組表取得部１０５が統合番組表を作成する。作成された統合番組表はテレビジョン装置１００に表示することができ、ユーザは不図示のリモコン、操作部などを用いて録画番組を指定し、予約録画および録画を行なうことができる。
【００２８】
また、ＨＤＤレコーダ１０２は、上述の従来のＨＤＤレコーダと同様に、録画用のＨＤＤ、ＣＤ／ＤＶＤドライブなどの基本構成（不図示）を含む。ＨＤＤレコーダ１０２で予約録画、録画時に指定した番組の番組情報（ＥＰＧ情報）は、メモリ部１０３に録画した番組と関連付けて保存する。
【００２９】
録画番組のビデオデータは、ＨＤＤレコーダ１０２でＨＤＤに記録するか、あるいはＣＤ／ＤＶＤドライブに直接記録される。また、ＣＤ／ＤＶＤへの記録終了後、ＣＤ／ＤＶＤのラベルデータを印刷することができる。このとき、メモリ部１０３に格納されているＣＤ／ＤＶＤに記録した番組の番組情報を印刷データ生成装置１０６に送り、これに基づき印刷データ生成装置１０６のプリント部１１０でＣＤ／ＤＶＤのラベル印刷が行なわれる。
【００３０】
次に印刷データ生成装置１０６の構成を説明する。印刷データ生成装置１０６は、後述の制御データを格納するメモリ部１０８、解析部１０９、プリント部１１０を含む。したがって、たとえば、印刷データ生成装置１０６は、デジタルテレビやセットトップボックスなどに接続可能なデジタル放送対応のプリンタなどの製品として構成することが考えられる。
【００３１】
印刷データ生成装置１０６は、ＣＤ／ＤＶＤへのデータの書き込みを行なうＨＤＤレコーダ１０２から、ＣＤ／ＤＶＤへ対する録画終了時に送られてくる番組情報を受ける。すると、印刷データ生成装置１０６は、解析部１０９によりあらかじめユーザが設定した、またはデフォルトで決められている解析方法に基づいて番組情報を解析する。
【００３２】
解析方法は様々考えられるが、本実施例では主に番組情報のジャンルに応じて背景を変更するという解析処理について述べる。この場合、解析部１０９は、取得した番組情報のジャンルを参照しジャンルを特定する。
【００３３】
このとき、番組のジャンルに対応して印刷データ生成装置内部にあるメモリ部１０８に保存されている複数の背景情報の中から解析部１０９が特定したジャンル用の背景情報を取得する。
【００３４】
取得した背景情報は印刷データ生成部１０７に送信され、印刷データ生成部１０７は受信した背景情報を用いて印刷データを生成する。
【００３５】
また、印刷データ生成部１０７は、生成した印刷データをテレビジョン装置部１００やその他の表示部を装置につけてプレビュー表示させてもよい。
【００３６】
また、プリント部１１０にＨＤＤレコーダ１０２により番組を録画したＣＤ／ＤＶＤメディアを挿入して、作成した印刷データを用いてＣＤ／ＤＶＤ印刷を行うことができる。
【００３７】
図４は、印刷データ生成装置１０６の制御動作の一例を示している。ここで図４を用いて印刷データ生成装置１０６の動作を説明する。
【００３８】
ステップＦ００１にてＥＰＧを含む番組情報を取得する。番組情報は印刷データ生成装置１０６で直接取得してもよいし、また、本実施例のように外部装置で取得するようにしてもよい。
【００３９】
ステップＦ００２では、解析方法を取得（選択）する。解析方法は、上記のように番組ジャンルから録画メディアの背景情報を決定する解析方法１種類を実装しておく他、その他に、後述のような異なる解析方法をいくつか用意しておくことができる。ステップＦ００２では、用意された解析方法から、たとえばあらかじめ行われているユーザ設定などに応じて印刷データ生成に用いる解析方法を取得する。
【００４０】
ステップＦ００３では、取得した解析方法に基づいて番組情報を解析し、この解析結果に基づいて適切な背景情報を選択する。なお、ジャンルに基づき背景情報を選択する方法については図５で後述する。そして、ステップＦ００４では、ステップＦ００３で選択した背景情報を用いて印刷データを生成する。
【００４１】
次に、印刷データ生成装置１０６の背景選択のために必要な構成、および背景選択のための解析方法の一例について、図２、図３、および図５を用いて詳細に説明する。
【００４２】
ここでは、解析部１０９が番組情報から背景情報を選択するための解析方法の一例として、番組ジャンルから録画メディアの背景情報を決定する解析方法を例示する。
【００４３】
図２は、ジャンル毎に対応づけられている背景情報の対応テーブルである。図２の場合、スポーツ２００に対応する背景情報は背景情報（Ａ）２０１である。その他、このテーブルには、背景情報Ｂ〜Ｄが用意されており、上記のスポーツ２００の他、映画、ドラマ、音楽、アニメ、その他の各ジャンルに適宜割り当てられている。図２のテーブルデータは、たとえば、メモリ部１０８に格納しておく。
【００４４】
解析部１０９は、図２のテーブルを参照することにより、取得した番組情報のジャンルに応じて背景を変更する解析処理を行なうことができる。たとえば、ＨＤＤレコーダ１０２より取得したＣＤ／ＤＶＤへ録画した番組の番組情報の内容を参照した結果がスポーツであった場合、解析部１０９は背景情報（Ａ）２０１を選択する。また、たとえば取得した番組のジャンルが音楽であれば背景情報はＤとなる。
【００４５】
図２のテーブルに登録されている背景情報は、図３に示すように背景色３０１、背景柄３０２、印字内容３０３、さらに、番組タイトルや日時などの情報を記録するための文字フォント３０４、文字サイズ３０５、その印字位置３０６などの背景レイアウト情報から構成される。すなわち、本実施例における背景情報は、単に背景の色やパターンを指定するだけでなく、番組タイトルや日時などの情報を記録するための文字記録を制御する情報も含んでいる。
【００４６】
なお、図３の例では、印字内容３０３の情報により、印字内容として番組情報から取得した番組タイトルや出演者などの情報を適宜選択できるようになっている。たとえば、図２のテーブルで行なわれる番組ジャンルへの対応づけに応じて、「タイトル／出演者」のような情報を印刷するのか、「第何話／日時」のような情報を印刷するのかを選択できるようになっている。
【００４７】
図３の背景情報の内容は、適当なユーザーインターフェース、たとえばテレビジョン装置１００の画面と、不図示のリモコン、操作部などを用いたユーザーインターフェースを介してユーザにより変更可能である。これにより、背景等の画像情報もユーザの嗜好に合うものと変更できる。図３に示したデータは、メモリ部１０８に格納しておけばよい。
図５は、本実施例の印刷データ生成装置１０６が実行する、番組情報のジャンルに応じて背景を変更する解析処理の流れを示している。
【００４８】
図５のステップＳ００１では、解析部１０９は取得した番組情報のジャンル情報を参照し、ステップＳ００２で解析部１０９が解析結果に対応する背景情報を選択する。このとき、取得した番組情報のジャンル情報から図２のテーブルデータを参照すれば、図３の背景情報のいずれかを選択することができる。そして、ステップＳ００３では、印刷データ生成部１０７はステップＳ００２で選択した背景情報を用いて印刷データを生成する。
【００４９】
以下、番組情報の解析方法は、上記のジャンルに基づいて背景を選択するもの以外にも、下記のような番組情報の解析方法が考えられる。なお、これらの解析方法は、たとえば図４のステップＦ００２において、背景決定に用いる解析方法としてユーザ設定に応じて取得（選択）できるようにしておけばよい。
【００５０】
まず、録画した番組の番組情報のうちのたとえば放映時間と放送局から背景情報を取得する解析方法が考えられる。このためには、図２と同様のテーブルを用いて放映時間と放送局から図３のように用意した背景を選択できるようにすればよい。さらには、特定の番組を録画した録画メディア、その番組に関する番組情報を記録する用紙のための印刷背景をユーザが作成し、図２と同様の背景決定用のテーブルに登録する、などのユーザのカスタマイズ設定を行なえるようにしてもよい。
【００５１】
また、他の解析方法としては、デフォルトのキーワード、あるいはユーザが設定したキーワードを取得した番組情報で検索し、キーワードが一致した際に特定の背景情報を選択する、という構成も考えられる。この場合にも、上記同様に、適宜、キーワードに応じて背景を決定するためのテーブルを用意すればよく、また、同様の背景決定用のテーブルに登録する、などのユーザのカスタマイズ設定を行なえるようにできる。
【００５２】
さらに、高度な解析方法としては、複数の番組が一枚の録画メディアに記録された場合に対応可能な解析方法が考えられる。たとえば、複数の番組が一枚の録画メディアに記録される場合、番組情報を取得し、録画メディアに記録された複数の番組情報を取得して、内容を比較する。たとえば、複数番組のタイトルが同じであればタイトル名を用いてメディア印刷を行い、その際の背景は番組のジャンルに対応した背景情報を用いて印刷データを生成する。
【００５３】
なお、図２および図３に示したような背景情報を選択するためのデータ構成は、ユーザ設定もしくは装置のデフォルト設定に応じてメモリ部１０８に格納しておけばよい。ただし、メモリ部１０８は必ずしも印刷データ生成部内に実装される必要はなく、製品仕様などに応じて外部機器、およびインターネットを介したネットワーク上に配置し、必要になった時点でデータ内容をダウンロードするような構成をとってもよい。
【００５４】
また、各解析結果に対応付けられている各背景情報は、テレビジョン装置１００に表示し、不図示のリモコン等を用いてユーザが設定できるようにする他、印刷データ生成装置１０６の操作部、表示部を用いてこのような操作を行なえるようにしてもよい。
【００５５】
また、上記のような番組情報の解析方法はユーザによって指定、もしくは作成できる。本装置においてはあらかじめ幾つかの解析方法がメモリ部１０８に保存されており、その中でユーザが一つ選択、または複数を組み合わせて指定する形式をとる。主な解析方法としては、ジャンル毎に背景を変更する。ある特定の番組情報の時だけ背景を変えるなどの手法が考えられる。
【００５６】
また、複数の番組が記録されたＣＤ／ＤＶＤに対しては、複数の番組情報のうち共通点を探して、共通点が発見された番組情報内の情報に対応する背景情報を取得することが考えられる。たとえば、複数の番組情報内の文字列「ドラマ」（ジャンルの文字列、番組情報の各フィールド中にあるキーワードのいずれでもよい）が共通点であればドラマ用に割り当てられている背景情報を選択する、といった手法が考えられる。
【００５７】
ここで、本実施例におけるテレビジョン装置１００に関して説明しておく。
【００５８】
本実施例のテレビジョン装置１００は、地上放送、地上デジタル放送、各種デジタル放送、およびケーブルテレビジョン装置などのテレビジョン放送を受信可能な装置である。また、インターネットや、放送電波の合間をぬって送られてくる番組情報（ＥＰＧ情報）も受信可能なチューナ部１０１を備えるものとする。ただし、本発明は、チューナ部１０１がテレビジョン装置に設けられる構成に限定されるものではなく、たとえば印刷データ生成装置１０６に設けられていてもよい。
【００５９】
さらに、上述のようにして選択される背景情報を用いて行なわれる記録メディアのラベル面の印刷について説明しておく。
【００６０】
図３の背景情報に基づいて印刷した記録メディアのラベル面の一例を図６に示す。
【００６１】
図６内の符号１１５、１１６、１１７はそれぞれ図３の印字位置Ｐ、Ｑ、Ｒ（３０６）に対応し、背景情報内で指定された印字位置に指定された背景情報の文字フォント（３０４）、文字サイズ（３０５）を用いて印字するよう印刷データが作成される。背景情報内のこれら文字による印字内容は、図３に例示したように、たとえば番組情報から取得した番組タイトルや出演者などの情報であるものとする。
【００６２】
背景柄は、たとえば図６のような斜線等の柄など、任意の画像パターンであるものとし、もちろん、背景色は背景の色に対応する。また、背景柄、背景色により定義される背景の代りに、写真データを背景画像として用いることも考えられる。このための写真データはメモリ部１０８に保存しておく。
【００６３】
なお、上記のような背景情報は一例であり、本発明が上記のような例示に限定されるものではないのはいうまでもない。たとえば、背景の印字位置などは図示したものよりも、もっと多数であってもよく、また、文字サイズも複数の印字位置それぞれに持っていてもよい。また、複数番組がＣＤ／ＤＶＤへ記録された場合に、複数番組分の情報を異なる印字位置へ印字させるなどの処理を行なうこともできる。
【００６４】
また、上記実施例では印刷媒体はＣＤ／ＤＶＤのような記録メディアを例示したが、これ以外にも通常の紙媒体への印刷データを作成する場合でも本発明を実施できるのはいうまでもない。
【００６５】
なお、本実施例の受信システムでは、テレビジョン装置、ＨＤＤレコーダが含まれているが、本発明は番組情報を取得しうる環境であれば実施可能である。すなわち、番組情報を取得できるのであれば、テレビジョン装置、ＨＤＤレコーダのない構成においても本発明を実施できるのはいうまでもない。
【００６６】
また、本発明を実施するデジタル放送受信システムでは、機器どうしの接続インターフェースにＩＥＥＥ１３９４の他、任意のバスシステム、またはネットワークシステムを用いることができる。
【００６７】
また、印刷データ生成装置１０６の要部、印刷データ生成部１０７は必ずしも上記のようにデジタル放送対応のプリンタなどの製品に組み込まれている必要はない。たとえば、印刷データ生成部１０７はＨＤＤレコーダ１０２側に組み込まれていてもよいし、あるいはＨＤＤレコーダ１０２とプリンタ（あるいはさらにチューナー部１００も）が一体化された構成中に含まれていてもよい。
【００６８】
というのは、ＨＤＤレコーダへの予約録画、あるいはリアルタイム録画のタイミングと当該番組に関するデータをプリント部１１０でＣＤ／ＤＶＤのような記録メディアや紙に印刷するタイミングは必ずしも一致せず、両者にずれがあるのは普通である。そして、印刷データ生成部１０７が、ＨＤＤレコーダ１０２側に組み込まれる構成では、このような録画と番組情報の印刷のタイミングのずれがある場合でも対応が容易である、という利点が考えられる。あるいはＨＤＤレコーダ１０２とプリンタが一体化されたような録画装置中に含まれている構成でも、同様の利点が考えられる。
【００６９】
たとえば、上記実施例では、印刷データ生成装置１０６にＣＤ／ＤＶＤへ対する録画終了時に送られてくる番組情報を解析部１０９で解析し、背景情報を決定するものとした。しかし、印刷データ生成部１０７が録画装置側にあれば、録画装置側で予約録画時、あるいは番組予約時のタイミングで番組情報を解析し、背景情報を選択することができる。そして選択した背景情報あるいはこれに基づき生成された印刷データを後に記録メディアや用紙に番組に関する情報を記録するまでの間、ＨＤＤや不揮発メモリなどに適宜記憶しておき、プリンタ側に送信して印刷させておくことができる。
【産業上の利用可能性】
【００７０】
本発明は、デジタル放送の放送番組に関する情報を印刷する任意のデジタル放送受信システムに適用できる。デジタル放送受信システムに含まれるテレビジョン装置、およびＣＤ／ＤＶＤへのデータの書き込みが可能なＨＤＤレコーダ、あるいはさらに印刷データ生成装置などの各部材の有無や一体であるか、別体であるかなどは製品仕様に応じて任意である。
【００７１】
本発明を実施する制御プログラムは、あらかじめ受信システムを構成する機器のＲＯＭに格納しておくことができる。また、たとえばＵＳＢインターフェースなどにより接続されたＭＯやＣＤ−ＲＯＭなどのメディアからインストール／アップデートしたり、任意のサーバからネットワーク経由で供給することもできる。
【図面の簡単な説明】
【００７２】
【図１】本発明を採用したデジタル放送受信システムの構成の一例を示したブロック図である。
【図２】本発明においてジャンル毎に対応づけられた背景情報の一例を示した説明図である。
【図３】本発明において用意される背景情報のテーブルの一例を示した説明図である。
【図４】図１の印刷データ生成装置の印刷データ生成手順を示したフローチャート図である。
【図５】図１の印刷データ生成装置の異なる印刷データ生成手順を示したフローチャート図である。
【図６】図１のデジタル放送受信システムで印刷される録画メディアのラベル面印刷例を示した説明図である。
【符号の説明】
【００７３】
１００  テレビジョン装置
１０１  チューナ部
１０２  ＨＤＤレコーダ
１０３  メモリ部
１０４  ＥＰＧデータ取得部
１０５  統合番組表取得部
１０６  印刷データ生成装置
１０７  印刷データ生成部
１０８  メモリ部
１０９  解析部
１１０  プリント部
１１１、１１２、１１３、１１４  ＩＥＥＥ１３９４ポート
２００  番組情報のジャンル
２０１  背景情報
３００  背景情報
３０１  背景色情報
３０２  背景柄情報
３０３  印字内容情報
３０４  文字フォント情報
３０５  文字サイズ情報
３０６  印字位置情報
【図１】
2008131411.tif 000003
【図２】
2008131411.tif 000004
【図３】
2008131411.tif 000005
【図４】
2008131411.tif 000006
【図５】
2008131411.tif 000007
【図６】
2008131411.tif 000008